(57)【要約】
【課題】構造が簡単で安価に製造することができる扉開閉装置を備えた仏壇を提供する。
【解決手段】左右一対の折戸（３）（５）よりなる前扉（１）を備えた仏壇において、該前扉の上方又は下方には左右一対のスプロケットホイル（２１）（２３）をその各回転軸（２１ａ）（２３ａ）が水平になるように同一の高さに配設し、該スプロケットホイルにはチェーン（２７）を巻き掛け、一方のスプロケットホイルをモータ（２９）により回転させ、スプロケットホイル間における上側チェーン部（２７ａ）と下側チェーン部（２７ｂ）とにそれぞれアーム（３１）（３３）の基端（３１ａ）（３３ａ）を該アームが水平方向に回動自在になるように取り付け、各折戸にはピン（３９）（４１）を突設し、各アームの先端を該ピンを介して各折戸に連結することにより、前扉が開閉するようにしたことを特徴とする仏壇。
【選択図】図１
0003100070.tif 000002
【実用新案登録請求の範囲】
【請求項１】
　左右一対の折戸よりなる前扉を備えた仏壇において、該前扉の上方又は下方には左右一対のスプロケットホイルをその各回転軸が水平になるように同一の高さに配設し、該スプロケットホイルにはチェーンを巻き掛け、一方のスプロケットホイルをモータにより回転させ、スプロケットホイル間における上側チェーン部と下側チェーン部とにそれぞれアームの基端を該アームが水平方向に回動自在になるように取り付け、各折戸にはピンを突設し、各アームの先端を該ピンを介して各折戸に連結することにより、前扉が開閉するようにしたことを特徴とする仏壇。
【考案の詳細な説明】
【技術分野】
【０００１】
　本考案は、仏壇に関するものであり、特に前扉を扉開閉装置により自動的に開閉するようにした仏壇に係るものである。
【０００２】
本出願において「前扉」とは、仏壇における箱状本体の前面に取り付けられた扉をいうものとする。なお、前扉は大戸とも呼ばれている。
【背景技術】
【０００３】
　近年、わが国の国民の高齢化に伴い、身体の不自由な高齢者の数が増えている。このような人々の多くは、仏像、位牌等を安置した仏壇を日常的に礼拝することを欲している。しかるに、身体の不自由な高齢者にあっては、仏壇の礼拝を行なう際に、仏壇の前扉を開閉することが困難ないし不可能な場合が多い。
【０００４】
　このような状況に鑑み、特開平６−８６７２６号公報等は前扉を扉開閉装置により自動的に開閉するようにした仏壇を提案している。
【０００５】
　同公報に開示されている仏壇における扉開閉装置は、一対の扉にそれぞれガイドピンを突設し、モータにより回転する第一の歯車を備え、該歯車に第二の歯車を噛合させ、各歯車にそれぞれアームを固着し、各アームの突出端をリンク片を介して各ガイドピンに連結してなるものである。
【０００６】
また、この扉開閉装置により開閉される扉は、従来の仏壇における前扉と同様に、左右一対の折戸よりなる開き戸である。
【特許文献１】特開平６−８６７２６号公報
【考案の開示】
【考案が解決しようとする課題】
【０００７】
　しかるに、上記従来の仏壇における扉開閉装置は、構造が複雑であって製造コストが嵩むという難点がある。
【０００８】
本考案は、上記従来の仏壇におけるこのような問題を解決し、構造が簡単で安価に製造することができる扉開閉装置を備えた仏壇を提供しようとしてなされたものである。
【課題を解決するための手段】
【０００９】
　上記課題を解決するために、本考案は下記の仏壇を提供する。
【００１０】
即ち、本考案の仏壇は、左右一対の折戸よりなる前扉を備えた仏壇において、該前扉の上方又は下方には左右一対のスプロケットホイルをその各回転軸が水平になるように同一の高さに配設し、該スプロケットホイルにはチェーンを巻き掛け、一方のスプロケットホイルをモータにより回転させ、スプロケットホイル間における上側チェーン部と下側チェーン部とにそれぞれアームの基端を該アームが水平方向に回動自在になるように取り付け、各折戸にはピンを突設し、各アームの先端を該ピンを介して各折戸に連結することにより、前扉が開閉するようにしたことを特徴とするものである。
【００１１】
［作用］
　前扉が閉じているときに、適宜のスイッチ操作によりモータを所定の方向に回転させると、チェーンが所定の方向に回転する。このとき、スプロケットホイル間における上側チェーン部と下側チェーン部とは相互に反対方向に動くため、上側チェーン部と下側チェーン部とにそれぞれ取り付けられたアームは相互に反対方向に動く。即ち、一方のアームは右方向に動き、他方のアームは左方向に動く。各アームの先端はピンを介して各折戸に連結されているため、各折戸は相互に離れる方向に回動して前扉が開く。
【００１２】
　前扉が開いているときに、適宜のスイッチ操作によりモータを上記と反対の方向に回転させると、チェーンが上記と反対の方向に回転する。即ち、右方向に移動していた一方のアームは左方向に動き、左方向に移動していた他方のアームは右方向に動く。各アームの先端はピンを介して各折戸に連結されているため、各折戸は相互に接近する方向に回動して前扉が閉じる。
【考案の効果】
【００１３】
　本考案による仏壇は、構造が簡単で安価に製造することができる扉開閉装置を備えている。
【考案を実施するための最良の形態】
【００１４】
　符号１に示すものは仏壇における箱状本体２の前面に取り付けられた前扉である。前扉１は左右一対の折戸３、５とよりなる。
【００１５】
一方の折戸３は、仏壇における一方の側板７の前縁７ａにヒンジ１１を介して第一扉片３ａの基縁３ａ‘を枢着し、該第一扉片３ａの先縁３ａ“にヒンジ１３を介して第二扉片３ｂの基縁３ｂ’を枢着してなるものである。
【００１６】
　他方の折戸５は、仏壇における他方の側板９の前縁９ａにヒンジ１５を介して第一扉片５ａの基縁５ａ‘を枢着し、該第一扉片５ａの先縁５ａ“にヒンジ１７を介して第二扉片５ｂの基縁５ｂ’を枢着してなるものである。
【００１７】
　次に、扉開閉装置１９について説明する。この扉開閉装置１９は前扉１の上方又は下方に配設する。図示の事例においては、扉開閉装置１９は仏壇の天板２０内に配設されている。
【００１８】
　即ち、前扉１の上方又は下方には左右一対のスプロケットホイル２１、２３をその各回転軸２１ａ、２３ａが水平になるように同一の高さに配設する。各回転軸２１ａ、２３ａは相互に平行である。なお、符号２５に示すものは支持体である。
【００１９】
スプロケットホイル２１、２３にはチェーン２７を巻き掛ける。一方のスプロケットホイル２１をモータ２９により回転させる。モータ２９は正逆転可能である。
【００２０】
スプロケットホイル２１、２３間における上側チェーン部２７ａと下側チェーン部２７ｂ（図６参照）とにそれぞれアーム３１、３３の基端３１ａ、３３ａを該アーム３１、３３が水平方向に回動自在になるように取り付ける。即ち、一例として、上側チェーン部２７ａと下側チェーン部２７とにそれぞれ支持体３５、３７を固定し、該支持体３５、３７にそれぞれアーム３１、３３の基端３１ａ、３３ａを回動自在に取り付ける。
【００２１】
前扉１を構成する折戸３、５における第二扉片３ｂ、５ｂの一例として先縁３ｂ“、５ｂ”の上縁又は下縁にはそれぞれピン３９、４１を突設する。
【００２２】
各アーム３１、３３の先端３１ｂ、３３ｂを該ピン３９、４１を介してそれぞれ各折戸３、５における第二扉片３ｂ、５ｂに連結することにより、前扉１が開閉するようにする。
【００２３】
図示の事例においては、前扉１を開く際には、アーム３１、３３はそれぞれ折戸５、３の第二扉片５ｂ、３ｂを開方向に押し、前扉１を閉じる際には、アーム３１、３３はそれぞれ折戸５、３の第二扉片５ｂ、３ｂを閉方向に引く。図３、図４参照。
【００２４】
符号４３、４５は、上側チェーン部２７ａにおける支持体３５の行程端に配設されたリミットスイッチである。
【００２５】
なお、扉開閉装置１９のスイッチ操作は、仏壇に取り付けられたスイッチ又はリモートコントロールスイッチにより行なわれる。
【図面の簡単な説明】
【００２６】
【図１】本考案による仏壇において、前扉を閉じた状態を示す正面図である。
【図２】同上仏壇において、前扉を開いた状態を示す正面図である。
【図３】前扉を閉じた状態における扉開閉装置を示す平面図である。
【図４】前扉を開いた状態における扉開閉装置を示す平面図である。
【図５】扉開閉装置を示す別の平面図である。
【図６】扉開閉装置を示す正面図である。
【図７】アームとピンと第二扉片とを示す正面図である。
【符号の説明】
【００２７】
１　前扉
２　箱状本体
３　折戸
３ａ　第一扉片
３ａ‘　基縁
３ａ“　先縁
３ｂ　第二扉片
３ｂ‘　基縁
３ｂ“　先縁
５　折戸
５ａ　第一扉片
５ａ‘　基縁
５ａ“　先縁
５ｂ　第二扉片
５ｂ‘　基縁
５ｂ“　先縁
７　側板
７ａ　前縁
９　側板
９ａ　前縁
１１　ヒンジ
１３　ヒンジ
１５　ヒンジ
１７　ヒンジ
１９　扉開閉装置
２０　天板
２１　スプロケットホイル
２１ａ　回転軸
２３　スプロケットホイル
２３ａ　回転軸
２５　支持体
２７　チェーン
２７ａ　上側チェーン部
２７ｂ　下側チェーン部
２９　モータ
３１　アーム
３１ａ　基端
３１ｂ　先端
３３　アーム
３３ａ　基端
３３ｂ　先端
３５　支持体
３７　支持体
３９　ピン
４１　ピン
４３　リミットスイッチ
４５　リミットスイッチ
【図１】
0003100070.tif 000003
【図２】
0003100070.tif 000004
【図３】
0003100070.tif 000005
【図４】
0003100070.tif 000006
【図５】
0003100070.tif 000007
【図６】
0003100070.tif 000008
【図７】
0003100070.tif 000009